(57)【要約】【課題】不必要な領域への赤外光の照射を抑制可能な車両用視認装置を提供することを目的とする。【解決手段】車両後側方を撮影する後側方カメラと、視認用画像を表示するモニタと、複数の赤外線ＬＥＤを備え、赤外光の照射領域が変更可能とされた近赤外線照射２０と、後側方カメラの撮影画像から切り出した部分画像３２に対応する車両周辺の領域を照射する赤外線ＬＥＤ２２を点灯して赤外光を照射するように近赤外線照明２０を制御し、かつ部分画像３２を視認用画像として表示するようにモニタを制御する制御装置と、備える。【選択図】図５
2017193278.tif 000002
【特許請求の範囲】
【請求項１】
車両周辺を撮影する撮影部と、
車両周辺を乗員が視認するための視認用画像を表示する表示部と、
赤外光を車両周辺へ照射すると共に、赤外光の照射領域が変更可能とされた照射部と、
前記撮影部で撮影された撮影画像から切り出した部分画像の少なくとも一部に対応する車両周辺の領域に赤外光を照射するように前記照射部を制御し、かつ前記部分画像を前記視認用画像として表示するように前記表示部を制御する制御部と、
を備えた車両用視認装置。
【請求項２】
前記制御部は、前記部分画像全体に対応する車両周辺の領域に赤外光を照射するように前記照射部を制御する請求項１に記載の車両用視認装置。
【請求項３】
前記照射部は、前記撮影画像を複数に分割した各分割領域に対応する車両周辺の領域を各々照射する複数の赤外線光源を含み、
前記制御部が、前記部分画像の少なくとも一部に重複する前記分割領域に対応する車両周辺の領域を照射する前記赤外線光源を点灯するように前記照射部を制御する請求項１又は請求項２に記載の車両用視認装置。
【請求項４】
前記照射部は、赤外光を照射する赤外線光源と、前記赤外線光源から照射された赤外光の照射方向を変更する変更部を含み、
前記制御部が、前記変更部によって前記照射方向を変更して前記部分画像の少なくとも一部に対応する車両周辺の領域に赤外光を照射するように前記照射部を制御する請求項１又は請求項２に記載の車両用視認装置。
【発明の詳細な説明】
【技術分野】
【０００１】
本発明は、車両周辺を視認するために車両周辺を撮影して撮影画像を表示する車両用視認装置に関する。
【背景技術】
【０００２】
この種の車両用視認装置では、夜間等のように車両周辺が暗い場合に、撮影画像が暗く、車両周辺の視認性が低下するので、車両周辺に光や赤外光等を照射して撮影することが考えられる。
【０００３】
赤外光を照射して撮影する技術例としては、例えば、特許文献１に記載の技術が提案されている。特許文献１では、点灯数を変更自在な複数の近赤外線ＬＥＤを備えた投光器と、イメージインテンシファイア及び高速度カメラと、ターゲット距離に基づいて近赤外線ＬＥＤの点灯数を変更するタイミングコントローラと、画素毎の物体までの距離を表す距離画像データを生成する画像処理部を備えた車両用距離画像データ生成装置が提案されている。
【先行技術文献】
【特許文献】
【０００４】
【特許文献１】特開２０１０−６６２２１号公報
【発明の概要】
【発明が解決しようとする課題】
【０００５】
ところで、車両周辺の撮影画像を表示する車両用視認装置では、撮影画像の切出し範囲の変更や、撮影方向の移動等により視認範囲を変更することがある。このように視認範囲を変更する場合に赤外線を車両周辺に照射する際には、視認範囲の変更可能範囲を網羅する広範囲に赤外光を照射する必要があるが、消費電力を低減する上では必要以上に広範囲に照射することは好ましくない。
【０００６】
特許文献１では、ターゲット距離に応じて近赤外線ＬＥＤの点灯数を変更することで赤外線の照射強度を変更するようにしているが、不必要な領域への赤外光の照射を抑制する点で改善の余地がある。
【０００７】
本発明は、上記事実を考慮して成されたもので、不必要な領域への赤外光の照射を抑制可能な車両用視認装置を提供することを目的とする。
【課題を解決するための手段】
【０００８】
上記目的を達成するために請求項１に記載の発明は、車両周辺を撮影する撮影部と、車両周辺を乗員が視認するための視認用画像を表示する表示部と、赤外光を車両周辺へ照射すると共に、赤外光の照射領域が変更可能とされた照射部と、前記撮影部で撮影された撮影画像から切り出した部分画像の少なくとも一部に対応する車両周辺の領域に赤外光を照射するように前記照射部を制御し、かつ前記部分画像を前記視認用画像として表示するように前記表示部を制御する制御部と、を備える。
【０００９】
請求項１に記載の発明によれば、撮影部では、車両周辺が撮影され、表示部では、車両周辺を乗員が視認するための視認用画像が表示される。
【００１０】
また、照射部では、赤外光が車両周辺に照射されると共に、赤外光の照射領域が変更可能とされている。
【００１１】
そして、制御部では、撮影部で撮影された撮影画像から切り出した部分画像の少なくとも一部に対応する車両周辺の領域に赤外光を照射するように照射部が制御され、かつ部分画像を視認用画像として表示するように表示部が制御される。これにより、夜間等の暗い領域でも視認用画像によって車両周辺を確認することができる。また、部分画像の少なくとも一部に対応する車両周辺の領域に赤外光が照射されるので、不必要な領域への赤外光の照射を抑制して、車両周辺を視認するために必要な領域へ赤外光を照射することが可能となる。
【００１２】
なお、制御部は、請求項２に記載の発明のように、部分画像全体に対応する車両周辺の領域に赤外光を照射するように照射部を制御してもよい。これにより、視認用画像全体に対応する車両周辺の領域を赤外光により照明することが可能となる。
【００１３】
また、請求項３に記載の発明のように、照射部は、撮影画像を複数に分割した各分割領域に対応する車両周辺の領域を各々照射する複数の赤外線光源を含み、制御部が、部分画像の少なくとも一部に重複する分割領域に対応する車両周辺の領域を照射する赤外線光源を点灯するように照射部を制御してもよい。これにより、必要な領域への赤外光の照射が可能となると共に、赤外線光源を不要に点灯することなく、消費電力の低減を図ることができる。
【００１４】
また、請求項４に記載の発明のように、照射部は、赤外光を照射する赤外線光源と、赤外線光源から照射された赤外光の照射方向を変更する変更部を含み、制御部が、変更部によって照射方向を変更して部分画像の少なくとも一部に対応する車両周辺の領域に赤外光を照射するように照射部を制御してもよい。これにより、必要な領域への赤外光の照射が可能となる
【発明の効果】
【００１５】
以上説明したように本発明によれば、不必要な領域への赤外光の照射を抑制可能な車両用視認装置を提供することができる、という効果がある。
【図面の簡単な説明】
【００１６】
【図１】（Ａ）は本発明の実施の形態に係る車両用視認装置の車両搭載位置例を示す図であり、（Ｂ）は車両用視認装置の概略構成を示す図である。
【図２】本実施形態に係る車両用視認装置の制御系の構成を示すブロック図である。
【図３】（Ａ）は撮影画像を１５の領域に分割した例を示す図であり、（Ｂ）は撮影画像の各領域に対応する１５の赤外線ＬＥＤを示す図である。
【図４】撮影画像から部分画像を切り出して生成する視認用画像を説明するための図である。
【図５】（Ａ）は撮影画像の分割領域と部分画像との重複する領域の一例を示す図であり、（Ｂ）は部分画像に重複する撮影画像の分割領域に対応する赤外線ＬＥＤの点灯を示す図である。
【図６】本実施形態に係る車両用視認装置の制御装置で行われる視認用画像の表示制御に関する処理の流れの一例を示すフローチャートである。
【図７】本実施形態に係る車両用視認装置の制御装置で行われる近赤外線照明の点灯制御に関する処理の流れの一例を示すフローチャートである。
【図８】近赤外線照明として適用可能な他の構成例を示す図である。
【発明を実施するための形態】
【００１７】
以下、図面を参照して本発明の実施の形態の一例を詳細に説明する。図１（Ａ）は、本発明の実施の形態に係る車両用視認装置の車両搭載位置例を示す図であり、図１（Ｂ）は車両用視認装置の概略構成を示す図である。
【００１８】
本実施形態に係る車両用視認装置１０は、撮影部としての後側方カメラ１２、表示部としてのモニタ１４、照射部としての近赤外線照明２０、操作部１６、及び制御部としての制御装置１８を備えている。後側方カメラ１２、近赤外線照明２０、及び制御装置１８は車両の左右に対応してそれぞれ設けられている。
【００１９】
後側方カメラ１２は、車両のサイドドア（フロントサイドドア、図示省略）の上下方向中間部の車両前側端に外側に設置されて車両後側方を撮影する。後側方カメラ１２は、支持体としての略直方体形箱状の筐体１３に設けられており、レンズが車両後側方に向けて配置され、車両の後側方を撮影する。筐体１３の車幅方向内側端部は、サイドドアに取付けられており、筐体１３がサイドドア（車体側）に車両前後方向に回動可能に支持されている。なお、筐体１３は、サイドドアではなく、フロントフェンダ等の他の位置に取り付ける形態としてもよい。
【００２０】
モニタ１４は、フロントピラーの下端付近に設けられ、後側方カメラ１２の撮影画像を視認用画像として主に表示する。すなわち、アウターミラーの代わりとされ、モニタ１４を確認することにより、車両周辺としての車両後側方を視認することができる。モニタ１４は、車両の左右に対応してそれぞれ設けられている。
【００２１】
近赤外線照明２０は、赤外線光源として、赤外光を出力する複数の赤外線ＬＥＤ２２を備えている。近赤外線照明２０は、後側方カメラ１２の撮影方向に赤外光を出力し、後側方カメラ１２の撮影範囲を照射する。そして、複数の赤外線ＬＥＤ２２を選択的に点灯することで赤外線の照射領域の変更が可能とされている。詳細には、近赤外線照明２０は、後側方カメラ１２の撮影画像を複数に分割した分割領域に対応して複数の赤外線ＬＥＤ２２が設けられ、各赤外線ＬＥＤは分割した各分割領域に対応する車両周辺の領域に赤外光を出力するように配置されている。具体的には、近赤外線照明２０は、図３（Ａ）に示すように、撮影画像３０を１５の領域に分割し、図３（Ｂ）に示すように、各分割領域に対応する赤外線ＬＥＤ２２を設ける。そして、各赤外線ＬＥＤ２２の点灯を制御することで赤外光を照射する領域が変更可能とされている。
【００２２】
操作部１６は、モニタ１４に表示される画像の表示位置、すなわち、後側方の視認範囲の変更の指示等を行う。操作部１６は、例えば、視認範囲の車幅方向への変更指示や、車両上下方向への変更指示等を行うためのスイッチやセンサ、視認範囲を変更する対象のモニタ１４（左または右）を指示するためのスイッチ等を備える。具体的には、視認範囲を変更するモニタ１４に対応する方向を指示するための左スイッチ１６Ｌ及び右スイッチ１６Ｒと、変更方向を指示するための方向指示部１６Ｓと、を含む。
【００２３】
制御装置１８は、車両の左右のそれぞれに対応して設けられており、左右各々の後側方カメラ１２の撮影画像３０の表示制御を行う。なお、制御装置１８は、後退時に車両後側方の視認範囲を変更して車両側方下側の障害物を視認し易くする後退連動制御や、方向指示器の操作に連動して視認範囲を変更して車両後側方を視認し易くする旋回連動制御等を更に行うようにしてもよい。
【００２４】
続いて、本実施形態に係る車両用視認装置１０の制御系の構成について説明する。図２は、本実施形態に係る車両用視認装置１０の制御系の構成を示すブロック図である。
【００２５】
制御装置１８は、ＣＰＵ１８Ａ、ＲＯＭ１８Ｂ、ＲＡＭ１８Ｃ、及びＩ／Ｏ（入出力インタフェース）１８Ｄがそれぞれバス１８Ｅに接続されたマイクロコンピュータで構成されている。
【００２６】
ＲＯＭ１８Ｂには、後側方カメラ１２の後側方の撮影画像３０をモニタ１４に表示するための表示制御を行うための視認用画像表示制御プログラムや近赤外線照明点灯制御プログラム等の各種プログラムが記憶されている。ＲＯＭ１８Ｂに記憶されたプログラムをＲＡＭ１８Ｃに展開してＣＰＵ１８Ａが実行することにより、モニタ１４への表示制御が行われる。
【００２７】
Ｉ／Ｏ１８Ｄには、視認範囲の変更等を指示するための操作部１６、後側方カメラ１２、モニタ１４、及び近赤外線照明２０が接続されている。
【００２８】
操作部１６は、後側方の視認範囲の変更の指示等が乗員によって行われると、変更指示信号を制御装置１８に出力する。操作部１６は、具体的には、図１（Ｂ）に示す上述の左スイッチ１６Ｌ、右スイッチ１６Ｒ、及び方向指示部１６Ｓを有する。すなわち、左スイッチ１６Ｌまたは右スイッチ１６Ｒによって視認範囲を変更するモニタ１４に対応する方向（左または右）を指示し、方向指示部１６Ｓによって視認範囲の変更方向（車幅方向及び車両上下方向）を指示する。
【００２９】
後側方カメラ１２は、車両後側方を撮影することによって後側方の撮影画像３０を得る。撮影によって得られた後側方の撮影画像３０は、後側方カメラ１２の撮影結果として制御装置１８に出力する。
【００３０】
モニタ１４は、後側方カメラ１２によって撮影された後側方の撮影画像３０を制御装置１８の制御に従って表示する。
【００３１】
近赤外線照明２０は、制御装置１８によって複数の赤外線ＬＥＤ２２の点灯が制御されることにより、後側方カメラ１２の撮影領域のうち必要な領域へ赤外光を照射する。
【００３２】
そして、制御装置１８は、後側方カメラ１２の撮影結果に基づいて、モニタ１４への表示制御を行うと共に、操作部１６によって後側方の視認範囲の変更が指示された場合に、モニタ１４の表示位置（後側方の視認範囲）を変更する制御を行う。
【００３３】
また、図示は省略するが制御装置１８には、エンジンＥＣＵやエアコンＥＣＵ等の各種制御装置が接続され、車両情報の取得が可能とされており、ライトスイッチや照度センサ等の信号を検出して夜間等の周囲が暗い場合に、近赤外線照明２０の点灯を制御する。
【００３４】
なお、制御装置１８は、１つの制御装置１８で左右のモニタ１４の表示制御を行ってもよいし、車両の左右に対応して一対設けられてもよい。左右に対応して一対の制御装置１８を設ける場合には、それぞれ相互通信可能なようにそれぞれのＩ／Ｏ１８Ｄに他方の制御装置１８を接続してもよい。
【００３５】
ここで、制御装置１８によるモニタ１４への後側方カメラ１２の撮影画像３０の表示方法について詳細に説明する。図４は、撮影画像３０から生成する視認用画像を説明するための図である。
【００３６】
本実施形態に係る車両用視認装置１０では、図４に示すように、後側方カメラ１２によって車両の後側方を撮影し、撮影によって得られる撮影画像３０から図４の点線で示す部分画像３２を切り出す。そして、切り出した部分画像３２を視認用画像３４としてモニタ１４に表示する。すなわち、本実施形態に係る車両用視認装置１０では、撮影画像３０の一部の範囲の部分画像３２を表示するため、切り出す位置を変更することで、視認範囲の変更が可能とされている。視認範囲の変更は、操作部１６を操作することで行われる。具体的には、視認範囲を変更する方向（左または右）を左スイッチ１６Ｌまたは右スイッチ１６Ｒの操作により選択して、方向指示部１６Ｓを操作することで視認範囲の変更方向（車幅方向及び車両上下方向）を指示する。これにより、制御装置１８が、撮影画像３０の現在の部分画像３２の位置から操作部１６によって操作された方向に切り出す部分画像３２の位置を変更して視認用画像３４をモニタ１４に表示する。すなわち、モニタ１４に表示される視認用画像３４は、方向指示部１６Ｓの指示方向に順次移動して表示される。
【００３７】
なお、視認用画像３４は、光学ミラーと同様の像をモニタ１４に表示するために鏡像変換を行うので、図４における撮影画像３０は、撮影画像３０における部分画像３２と視認用画像３４との関係を分かりやすくするために、鏡像変換された画像として示す。
【００３８】
また、視認範囲の変更は、操作部１６によって指示された場合に限るものではなく、例えば、上述した後退に連動して視認範囲を変更する後退連動制御や、旋回に連動して視認範囲を変更する旋回連動制御を行うための予め定めた条件が成立した場合でもよい。ここで、後退連動制御や旋回連動制御を行うための予め定めた条件は、例えば、方向指示器、シフト位置、車速等によって予め定めた条件であり、周知の条件を適用可能である。
【００３９】
ところで、近赤外線照明２０は、上述のように、撮影画像３０を１５の領域に分割し、各分割領域に対応する赤外線ＬＥＤ２２を備えているので、分割領域に対応する車両周辺の領域へ赤外光を照射することで不必要な領域への赤外光の照射を抑制できる。
【００４０】
そこで、本実施形態では、制御装置１８が、撮影画像３０を１５に分割した分割領域のうち、部分画像３２に重複する分割領域を抽出する。そして、抽出した分割領域に対応する赤外線ＬＥＤ２２を点灯するように近赤外線照明２０を制御するようになっている。
【００４１】
例えば、図５（Ａ）に示すように、部分画像３２が撮影画像３０のＮｏ．１、２、３、６、７、８の分割領域に重複する場合、図５（Ｂ）に示すように、対応する赤外線ＬＥＤ２２のＮｏ．１、２、３、６、７、８を点灯する。これにより、不必要な領域への赤外光の照射を抑制して必要な領域へ赤外光を照射することができる。また、視認範囲を変更する場合には視認範囲の変更に併せて点灯する赤外線ＬＥＤ２２を変更すればよい。
【００４２】
続いて、上述のように構成された本実施形態に係る車両用視認装置１０の制御装置１８で行われる具体的な処理について説明する。
【００４３】
まず、視認用画像３４の表示制御について説明する。図６は、本実施形態に係る車両用視認装置１０の制御装置１８で行われる視認用画像３４の表示制御に関する処理の流れの一例を示すフローチャートである。なお、図６の処理は、図示しないイグニッションスイッチがオンされた場合に開始するものとして説明する。また、図６の処理は、ＲＯＭ１８Ｂに記憶された視認用画像表示制御プログラムをＣＰＵ１８ＡがＲＡＭ１８Ｃに展開して実行することにより行われる。
【００４４】
まず、ステップ１００では、ＣＰＵ１８Ａが、後側方カメラ１２によって撮影された撮影画像３０を取得開始してステップ１０２へ移行する。すなわち、後側方カメラ１２の撮影結果を順次取得する。
【００４５】
ステップ１０２では、ＣＰＵ１８Ａが、撮影画像３０から部分画像３２を切り出してステップ１０４へ移行する。なお、この時の部分画像３２は撮影画像３０中の予め定めたデフォルトの位置の部分画像３２でもよいし、イグニッションスイッチのオフ前に前回指示された位置の部分画像３２でもよい。
【００４６】
ステップ１０４では、ＣＰＵ１８Ａが、切り出した部分画像３２を鏡像変換して、図３に示すように、視認用画像３４としてモニタ１４に表示してステップ１０６へ移行する。なお、部分画像３２を鏡像変換するのではなく、撮影画像３０を鏡像変換してから部分画像３２を切り出してもよい。
【００４７】
ステップ１０６では、ＣＰＵ１８Ａが、視認範囲の変更であるか否かを判定する。該判定は、例えば、操作部１６が操作されて視認範囲の変更が指示されたか否かを判定する。該判定が肯定された場合にはしてステップ１０８へ移行し、否定された場合には当該処理を終了して後述の近赤外線照明の点灯制御に関する処理等の他の処理を行う。なお、操作部１６によって視認範囲の変更が指示されたか否かの代わりに、後退連動制御や旋回連動制御を行う予め定めた条件が成立したか否かを判定してもよい。或いは、操作部１６による視認範囲の変更指示、及び連動制御（後退連動制御及び旋回連動制御の少なくとも一方）を行う予め定めた条件の成立による視認範囲の変更指示の少なくとも一方の指示が行われたか否かを判定してもよい。
【００４８】
ステップ１０８では、ＣＰＵ１８Ａが、指示に応じて部分画像３２の切り出す位置を変更して視認用画像３４を表示するようにモニタ１４を制御してステップ１１０へ移行する。
【００４９】
ステップ１１０では、ＣＰＵ１８Ａが、指示に応じて変更した部分画像３２を鏡像変換して視認用画像３４としてモニタ１４に表示するように制御して当該処理を終了し、後述の近赤外線照明の点灯制御に関する処理等の他の処理を行う。
【００５０】
このように制御することで、モニタ１４に車両後側方の視認用画像を表示することができ、光学ミラーと同様に、車両周辺を確認することができる。
【００５１】
続いて、近赤外線照明２０の点灯制御にについて説明する。図７は、本実施形態に係る車両用視認装置の制御装置で行われる近赤外線照明の点灯制御に関する処理の流れの一例を示すフローチャートである。なお、図７の処理は、上述の視認用画像３４の制御に関する処理に続いて行われる。また、図７の処理は、ＲＯＭ１８Ｂに記憶された近赤外線照明点灯制御プログラムをＣＰＵ１８ＡがＲＡＭ１８Ｃに展開して実行することにより行われる。
【００５２】
ステップ２００では、ＣＰＵ１８Ａが、車両情報及び部分画像３２の位置情報を取得してステップ２０２へ移行する。本実施形態では、車両周辺が暗い状況か否かを判断するための情報としてライトスイッチや照度センサ等の情報を車両情報として取得すると共に、撮影画像３０中の切り出されている部分画像３２の位置情報がＣＰＵ１８Ａによって取得される。
【００５３】
ステップ２０２では、ＣＰＵ１８Ａが近赤外線照明２０を点灯するか否かを判定する。該判定は、取得した車両情報から車両周辺が暗く、近赤外線照明を点灯する必要があるか否かを判定する。具体的には、車両情報としてライトスイッチの情報を取得する場合には、ライトスイッチがオンであるか否かを判定し、照度センサの情報を取得する場合には、照度センサによって検出された照度が予め定めた値以下であるか否かを判定する。該判定が否定された場合にはステップ２０４へ移行し、肯定された場合にはステップ２０８へ移行する。
【００５４】
ステップ２０４では、ＣＰＵ１８Ａが、後述の処理によって近赤外線照明２０を点灯した状態であるか否かを判定する。該判定が肯定された場合にはステップ２０６へ移行し、否定された場合には当該処理を終了して上述の視認用画像３４の表示制御に関する処理等を行う。
【００５５】
ステップ２０６では、ＣＰＵ１８Ａが近赤外線照明２０を消灯するように制御し、当該処理を終了して上述の視認用画像３４の表示制御に関する処理等を行う。
【００５６】
一方、ステップ２０８では、ＣＰＵ１８Ａが赤外線ＬＥＤ２２のＮｏ．をｉ＝１としてステップ２１０へ移行する。
【００５７】
ステップ２１０では、ＣＰＵ１８Ａが部分画像３２の位置情報に基づいて、部分画像３２内に重複する分割領域に対応する赤外線ＬＥＤ２２であるか否かを判定する。該判定が否定された場合にはステップ２１２へ移行し、肯定された場合にはステップ２１４へ移行する。
【００５８】
ステップ２１２では、ＣＰＵ１８ＡがＮｏ．ｉの赤外線ＬＥＤ２２を消灯するように制御してステップ２１６へ移行する。
【００５９】
また、ステップ２１４では、ＣＰＵ１８ＡがＮｏ．ｉの赤外線ＬＥＤ２２を点灯するように制御してステップ２１６へ移行する。
【００６０】
ステップ２１６では、ＣＰＵ１８Ａが赤外線ＬＥＤ２２のＮｏ．がｉ＞１５であるか否かを判定する。該判定が否定された場合にはステップ２１８へ移行し、肯定された場合には、当該処理を終了して上述の視認用画像３４の表示制御に関する処理等を行う。
【００６１】
ステップ２１８では、ＣＰＵ１８Ａが赤外線ＬＥＤ２２のＮｏ．をｉ＝ｉ＋１としてステップ２１０に戻って上述の処理を繰り返す。すなわち、複数の赤外線ＬＥＤ２２のそれぞれについて部分画像３２に重複する分割領域に対応する赤外線ＬＥＤ２２であるか否かを判定して、部分画像３２に対応する領域を照射する赤外線ＬＥＤ２２を点灯するように制御する。
【００６２】
このように処理を行うことで、視認用画像３４として表示する部分画像３２に対応する領域に照射する赤外線ＬＥＤ２２を点灯して他は消灯するので、赤外光を照射する必要がある領域のみに赤外光を照射できる。また、必要な領域を照射する赤外線ＬＥＤ２２のみを点灯するので全赤外線ＬＥＤ２２を点灯する場合に比べて消費電力を低減することができる。
【００６３】
また、視認範囲の変更が行われても、変更された部分画像３２に対応して近赤外線照明２０の各赤外線ＬＥＤ２２の点灯が制御されるので、不必要な領域への赤外光の照射を抑制できる。
【００６４】
なお、上記の実施形態では、近赤外線照明２０として複数の赤外線ＬＥＤ２２を備えて各赤外線ＬＥＤ２２の点灯を制御することで、赤外光を照射する領域を変更可能とした例を説明したが、これに限るものではない。例えば、図８に示すように、赤外光を出力する赤外線光源４０と、赤外線光源４０から出力された光を反射すると共に、赤外光の照射方向（照射領域）を変更する変更部４２と、赤外光を部分画像３２に対応する領域に照射するためのレンズ４４と、を備える構成を適用してもよい。この場合、変更部４２としては、角度が変更可能とされて単に照射方向を変更するミラーでもよいが、照射パターンが変更可能なミラーデバイスを適用してもよい。一例としては、Ｌｃｏｓ（Liquid Crystal On Silicon）や、ＭＥＭＳ（Micro Electro Mechanical Systems）ミラー、ＤＭＤ（Digital Micromirror Device）等のデバイスを適用することができる。また、図８のレンズ４４を省略して、赤外線光源４０及び変更部４２のみの構成でもよい。
【００６５】
また、上記の実施形態では、部分画像３２全体に対応する車両周辺の領域に赤外光を照射するように制御するようにしたが、部分画像３２全体に対応する領域でなくてもよく、部分画像３２の一部に対応する車両周辺の領域でもよい。例えば、図５の例では、分割領域１〜３は地平線より上側であるため、照明の必要性が低いため赤外光を照射せずに、赤外線ＬＥＤ２２のＮｏ．６〜８を点灯して分割領域６、７、８に対応する領域のみに赤外光を照射してもよい。
【００６６】
また、上記の実施形態では、車両周辺として車両後側方を撮影して視認する車両用視認装置を一例として説明したが、これに限るものではない。例えば、車両側方や、前方、後方等の他の方向を撮影して表示する車両用視認装置を適用してもよい。
【００６７】
また、上記の実施形態における制御装置１８で行われる処理は、ソフトウエアの処理として説明したが、これに限るものではない。例えば、ハードウエアで行う処理としてもよいし、ハードウエアとソフトウエアの双方を組み合わせた処理としてもよい。
【００６８】
また、上記の実施形態における制御装置１８で行われる処理は、プログラムとして記憶媒体に記憶して流通させるようにしてもよい。
【００６９】
さらに、本発明は、上記に限定されるものでなく、上記以外にも、その主旨を逸脱しない範囲内において種々変形して実施可能であることは勿論である。
【符号の説明】
【００７０】
１０    車両用視認装置
１２    後側方カメラ
１４    モニタ
１８    制御装置
２０    近赤外線照明
２２    赤外線ＬＥＤ
３０    撮影画像
３２    部分画像
３４    視認用画像
４０    赤外線光源
４２    変更部
【図１】
2017193278.tif 000003
【図２】
2017193278.tif 000004
【図３】
2017193278.tif 000005
【図４】
2017193278.tif 000006
【図５】
2017193278.tif 000007
【図６】
2017193278.tif 000008
【図７】
2017193278.tif 000009
【図８】
2017193278.tif 000010